(57)【要約】【課題】接続される受信装置の種類に応じた方式で映像音声信号出力を行なう。【解決手段】映像音声送信装置１００に、ＨＤＭＩ（High Definition Multimedia Interface）インターフェイスで接続された受信装置１３０から出力されるホットプラグ信号を検出するホットプラグ検出部１１２と、受信装置１３０のＥＤＩＤ（Extended Display Identification Data）情報を判別するＥＤＩＤ読出判別部１１１と、ＥＤＩＤ情報の判別結果から受信装置１３０の種類を判別する機種判別部１１４と、複数のＴＭＤＳ（Transition Minimized Differential Signaling）信号出力方式のうち受信装置１３０の種類に応じた出力方式を指定するＴＭＤＳ切替部１１５と、指定された出力方式に従ってＴＭＤＳ信号を出力するＴＭＤＳ出力部１１３とを設ける。【選択図】図１
2009071587.tif 000002
【特許請求の範囲】
【請求項１】
シリアル伝送インターフェイスにより映像音声受信装置に接続される映像音声送信装置であって、
前記接続された映像音声受信装置の装置情報をもとに当該映像音声受信装置の種類を判別するための手段と、
情報伝送信号の複数の出力方式のうち前記接続された映像音声受信装置の種類に応じた情報伝送信号出力方式を選択して前記情報伝送信号を出力するための手段とを備えたことを特徴とする映像音声送信装置。
【請求項２】
請求項１記載の映像音声送信装置において、
映像音声受信装置の種類別に前記情報伝送信号出力方式を調整及び検証するための手段を更に備えたことを特徴とする映像音声送信装置。
【請求項３】
請求項１記載の映像音声送信装置において、
前記情報伝送信号出力方式を特定する情報を格納するための予備の方式記憶器を更に備えたことを特徴とする映像音声送信装置。
【請求項４】
請求項１記載の映像音声送信装置において、
前記情報伝送信号出力方式を特定する情報を書き換えるための手段を更に備えたことを特徴とする映像音声送信装置。
【請求項５】
請求項４記載の映像音声送信装置において、
通信網を使用して前記情報伝送信号出力方式を特定する情報を更新するための手段を備えたことを特徴とする映像音声送信装置。
【請求項６】
請求項４記載の映像音声送信装置において、
読み出し可能な記憶媒体を用いて前記情報伝送信号出力方式を特定する情報を更新するための手段を備えたことを特徴とする映像音声送信装置。
【請求項７】
請求項１記載の映像音声送信装置において、
前記シリアル伝送インターフェイスは、ＨＤＭＩ（High Definition Multimedia Interface）であることを特徴とする映像音声送信装置。
【請求項８】
請求項１記載の映像音声送信装置において、
前記装置情報は、ＥＤＩＤ（Extended Display Identification Data）情報であることを特徴とする映像音声送信装置。
【請求項９】
請求項１記載の映像音声送信装置において、
前記情報伝送信号は、ＴＭＤＳ（Transition Minimized Differential Signaling）信号であることを特徴とする映像音声送信装置。
【請求項１０】
ＨＤＭＩインターフェイスにより映像音声受信装置に接続される映像音声送信装置であって、
前記接続された映像音声受信装置から出力されるホットプラグ信号を検出するホットプラグ検出部と、
前記接続された映像音声受信装置のＥＤＩＤ情報を読み出し、かつその内容を判別するＥＤＩＤ読出判別部と、
前記ＥＤＩＤ情報の判別結果をもとに前記接続された映像音声受信装置の種類を判別する機種判別部と、
複数のＴＭＤＳ信号出力方式のうち前記接続された映像音声受信装置の種類に応じた出力方式を指定するＴＭＤＳ切替部と、
前記ＴＭＤＳ切替部により指定された出力方式に従ってＴＭＤＳ信号を出力するＴＭＤＳ出力部とを備えたことを特徴とする映像音声送信装置。
【請求項１１】
シリアル伝送インターフェイスにより映像音声に係る情報を映像音声受信装置へ送信する映像音声送信方法であって、
接続された映像音声受信装置の装置情報をもとに当該映像音声受信装置の種類を判別するステップと、
情報伝送信号の複数の出力方式のうち前記接続された映像音声受信装置の種類に応じた情報伝送信号出力方式を選択して前記情報伝送信号を出力するステップとを備えたことを特徴とする映像音声送信方法。
【発明の詳細な説明】
【技術分野】
【０００１】
本発明は、映像及び音声情報を伝送するために使用される高速インターフェイスを搭載した映像音声送信装置及び映像音声送信方法に関するものである。
【背景技術】
【０００２】
映像音声情報を伝送するためのＨＤＭＩ（High Definition Multimedia Interface）と呼ばれるシリアル伝送インターフェイスがよく知られている。
【０００３】
図６は、従来の映像音声送信装置と映像音声受信装置に関する構成図を示すものである。この図は、映像音声送信装置６００と映像音声受信装置６３０とをＨＤＭＩケーブル６８０にて接続した状態を示している。映像音声送信装置６００は、ＤＶＤプレーヤ、ＨＤレコーダ等のうちのいずれかである。映像音声受信装置６３０は、テレビ、プロジェクター、ＡＶアンプ等のうちのいずれかである。
【０００４】
図６において、６４０はＥＤＩＤ（Extended Display Identification Data）情報を書き込む記憶素子（メモリ）、６５１は接続されている外部の映像音声送信装置６００からのＴＭＤＳ（Transition Minimized Differential Signaling）信号を入力するＴＭＤＳ入力部、６５２は接続されている外部の映像音声送信装置６００へホットプラグ信号を出力するホットプラグ出力部、６５０はＴＭＤＳ入力部６５１とホットプラグ出力部６５２からなるＨＤＭＩ処理部、６６０は様々な映像音声処理を行なう映像音声処理部、６７０は映像音声処理部６６０にて処理された映像と音声を出力する映像音声出力部である。映像音声受信装置６３０は、記憶素子６４０と、ＨＤＭＩ処理部６５０と、映像音声処理部６６０と、映像音声出力部６７０とに加えて、所望の制御項目を入力するための入力部（図示せず）を有するものである。
【０００５】
一方、６１１は記憶素子６４０からＥＤＩＤ情報を読み出して、その内容を判別するＥＤＩＤ読出判別部、６１２はホットプラグ出力部６５２からのホットプラグ信号を判別するホットプラグ検出部、６１３はＴＭＤＳ入力部６５１に対してＴＭＤＳ信号を出力するＴＭＤＳ出力部、６１０はＥＤＩＤ読出判別部６１１とホットプラグ検出部６１２とＴＭＤＳ出力部６１３からなるＨＤＭＩ処理部、６２０は様々な映像音声処理を行なう映像音声処理部である。映像音声送信装置６００は、ＨＤＭＩ処理部６１０と、映像音声処理部６２０とに加えて、所望の制御項目を入力するための入力部（図示せず）と、チューナー（図示せず）と、このチューナーで受信した映像音声の記録或いは記録されている映像音声の再生を行なう映像音声録画再生部（図示せず）とを有するものである。なお、ＨＤＭＩケーブル６８０上にて、本説明に使用しない信号線は図示しない。
【０００６】
図７は、ＴＭＤＳ出力部６１３のＴＭＤＳ信号出力方式を示すものである。映像音声送信装置６００及び映像音声受信装置６３０がＨＤＭＩケーブル６８０にて接続され両装置６００，６３０の電源がオンになると、ホットプラグ出力部６５２はホットプラグ信号をＬｏｗからＨｉｇｈにする。ホットプラグ検出部６１２は、ホットプラグ信号がＬｏｗからＨｉｇｈに変化したことを検出すると、映像音声送信装置６００と映像音声受信装置６３０とが物理的に接続され、かつＥＤＩＤ情報が読み出し可能状態であると判断し、ＥＤＩＤ読出判別部６１１に対して記憶素子６４０からＥＤＩＤ情報を読み出すよう指示を出す。
【０００７】
ＥＤＩＤ読出判別部６１１は記憶素子６４０からＥＤＩＤ情報を読み出し、その内容から映像音声受信装置６３０がＨＤＭＩ装置かＤＶＩ（Digital Visual Interface）装置かその他不明な装置のいずれかに判別する。映像音声受信装置６３０がＨＤＭＩ装置として判別された場合、ＥＤＩＤ読出判別部６１１はＴＭＤＳ出力部６１３にＴＭＤＳ信号を出力するよう指示を出す。
【０００８】
ＴＭＤＳ出力部６１３は、図７に示すようにｔ１期間出力、次いでｔ２期間停止、次いで継続出力という手順でＴＭＤＳ信号を出力する。継続出力を開始してからｔ３経過後の“Ｐ１”のタイミングでＩｎｆｏＦｒａｍｅパケットを出力、“Ｐ２”のタイミングで認証処理を開始、認証処理を終えた“Ｐ３”のタイミングで映像音声情報の出力を開始する。映像音声情報はチューナーによって受信されたもの或いは映像音声録画再生部から再生されたもののどちらかである。そして、入力部によってどちらの映像音声情報を使用するか、出力する映像の解像度や音声形式等が選択され、映像音声処理部６２０によって所望の映像解像度と音声形式に処理されＴＭＤＳ出力部６１３へ送られる。
【０００９】
なお、ｔ１、ｔ２、ｔ３の時間は固定値となっており、接続する映像音声受信装置６３０の機種／製造元／型番等が変わっても上記のような単一のＴＭＤＳ信号出力方式しかとれない。
【００１０】
映像音声受信装置６３０は、受信した映像音声情報を映像音声処理部６６０にて視聴可能な映像音声に処理し映像音声出力部６７０へ出力する。映像音声出力部６７０の後段は映像音声受信装置６３０がテレビであるか、プロジェクターであるか、ＡＶアンプであるかで異なり、ここでは説明を省略する。また、映像音声受信装置６３０がＤＶＩ装置或いはその他不明な装置と判別された場合についても説明を省略する。
【００１１】
ところで、上記のような構成では、ＴＭＤＳ信号出力方式及びＩｎｆｏＦｒａｍｅパケット出力タイミングが固定のため、接続する映像音声受信装置によっては送信側と受信側双方の処理タイミングのずれにより、認証処理が失敗する、映像が出力されない／乱れる、音声が出力されない／不快音が発生する等の不具合現象を引き起こすことがある。
【００１２】
そこで、ある従来技術に係る映像信号送信装置によれば、接続されている受信装置の機種を製品情報／メーカー情報／映像フォーマット情報を含むＥＤＩＤ情報から判別し、特定の機種に対してのみ制御プログラムを切り替えることにより、認証処理を行なっている間、受信装置がホットプラグ信号を保持（Ｈｉｇｈ固定）せずＨｉｇｈからＬｏｗにしても、それを無視して認証処理を継続することで、不具合現象を防止する（特許文献１参照）。
【特許文献１】特開２００６−２０３７２５号公報
【発明の開示】
【発明が解決しようとする課題】
【００１３】
上記不具合現象に対してはＴＭＤＳ信号出力方式及びＩｎｆｏＦｒａｍｅパケット出力タイミング（図７のｔ１、ｔ２、ｔ３）を映像音声送信装置にて調整することで改善できる場合が多い。しかし、ｔ１／ｔ２／ｔ３のタイミング調整は、従来問題の無かった映像音声受信装置に対して同様の不具合現象を発生させてしまう副作用を持ち合わせていて万能とは言えない。
【００１４】
また、ｔ１／ｔ２／ｔ３のタイミング調整を行なう毎に従来装置の品質を確保するため、従来問題の無かった映像音声受信装置との接続検証を再度行ない、副作用が無いことを確認する必要もある。この作業は検証する装置の数及び評価項目数に比例し、莫大な時間を要する。
【００１５】
本発明は上記問題点を解決するもので、接続されている映像音声受信装置から読み出したＥＤＩＤ情報より受信装置の種類を判別し、その種類に応じたＴＭＤＳ信号出力及びＩｎｆｏＦｒａｍｅパケット出力を可能にするため、複数の出力方式を備えた映像音声送信装置を提供することを目的とする。
【課題を解決するための手段】
【００１６】
上記課題を解決するために、本発明は、シリアル伝送インターフェイスにより映像音声受信装置に接続される映像音声送信装置において、接続された映像音声受信装置の装置情報をもとに当該映像音声受信装置の種類を判別するための手段と、情報伝送信号の複数の出力方式のうち接続された映像音声受信装置の種類に応じた情報伝送信号出力方式を選択して情報伝送信号を出力するための手段とを備えた構成を採用したものである。
【００１７】
より具体的には、ＨＤＭＩインターフェイスにより映像音声受信装置に接続される映像音声送信装置において、接続された映像音声受信装置から出力されるホットプラグ信号を検出するホットプラグ検出部と、接続された映像音声受信装置のＥＤＩＤ情報を読み出し、かつその内容を判別するＥＤＩＤ読出判別部と、ＥＤＩＤ情報の判別結果をもとに接続された映像音声受信装置の種類を判別する機種判別部と、複数のＴＭＤＳ信号出力方式のうち接続された映像音声受信装置の種類に応じた出力方式を指定するＴＭＤＳ切替部と、このＴＭＤＳ切替部により指定された出力方式に従ってＴＭＤＳ信号を出力するＴＭＤＳ出力部とを備えた構成を採用する。
【発明の効果】
【００１８】
本発明によれば、従来の単一出力方式に比べ送信側と受信側双方の処理タイミングのずれを小さくでき、ずれが原因で発生する認証の失敗、映像や音声が出ない／乱れるという現象を減らすことができる。
【発明を実施するための最良の形態】
【００１９】
図１は、本発明の映像音声送信装置と映像音声受信装置に関する構成図を示すものである。この図は、映像音声送信装置１００と映像音声受信装置１３０とをＨＤＭＩケーブル１８０にて接続した状態を示している。映像音声送信装置１００は、ＤＶＤプレーヤ、ＨＤレコーダ等のうちのいずれかである。映像音声受信装置１３０は、テレビ、プロジェクター、ＡＶアンプ等のうちのいずれかである。なお、以下の内容は、ハードウェアでの実現、或いはソフトウェアでの実現、或いはハードウェアとソフトウェアとの組み合わせでの実現のいずれでもよい。
【００２０】
図１において、１４０はＥＤＩＤ情報を書き込む記憶素子（メモリ）、１５１は接続されている外部の映像音声送信装置１００からのＴＭＤＳ信号を入力するＴＭＤＳ入力部、１５２は接続されている外部の映像音声送信装置１００へホットプラグ信号を出力するホットプラグ出力部、１５０はＴＭＤＳ入力部１５１とホットプラグ出力部１５２からなるＨＤＭＩ処理部、１６０は様々な映像音声処理を行なう映像音声処理部、１７０は映像音声処理部１６０にて処理された映像と音声を出力する映像音声出力部である。映像音声受信装置１３０は、記憶素子１４０と、ＨＤＭＩ処理部１５０と、映像音声処理部１６０と、映像音声出力部１７０とに加えて、所望の制御項目を入力するための入力部（図示せず）を有するものである。
【００２１】
一方、１１１は記憶素子１４０からＥＤＩＤ情報を読み出して、その内容を判別するＥＤＩＤ読出判別部、１１２はホットプラグ出力部１５２からのホットプラグ信号を判別するホットプラグ検出部、１１３はＴＭＤＳ入力部１５１に対してＴＭＤＳ信号を出力するＴＭＤＳ出力部、１１４は映像音声受信装置１３０の種類を判別する機種判別部、１１５はＴＭＤＳ出力部１１３から出力されるＴＭＤＳ信号の出力方式及びＩｎｆｏＦｒａｍｅパケット出力タイミングを複数有し、かつその切り替えを行なうＴＭＤＳ切替部、１１０はＥＤＩＤ読出判別部１１１とホットプラグ検出部１１２とＴＭＤＳ出力部１１３と機種判別部１１４とＴＭＤＳ切替部１１５からなるＨＤＭＩ処理部、１２０は様々な映像音声処理を行なう映像音声処理部、１２１は所望の設定を行なうための入力部、１２２はチューナー、１２３はチューナー１２２で受信した映像音声の記録或いは記録されている映像音声の再生を行なうハードディスクドライブ（以下、ＨＤＤと称す）やＣＤ／ＤＶＤドライブ等で構成される映像音声録画再生部、１２４はＴＭＤＳ切替部１１５が有するＴＭＤＳ信号出力方式及びＩｎｆｏＦｒａｍｅパケット出力タイミングを書き換える書換部である。映像音声送信装置１００は、ＨＤＭＩ処理部１１０と、映像音声処理部１２０と、入力部１２１と、チューナー１２２と、映像音声録画再生部１２３と、書換部１２４とを有するものである。１９０はインターネット等の通信網である。なお、ＨＤＭＩケーブル１８０上にて、本説明に使用しない信号線は図示しない。
【００２２】
図２（ａ）〜図２（ｄ）は、ＴＭＤＳ切替部１１５がＴＭＤＳ出力部１１３に対して指示を出すＴＭＤＳ信号の出力方式を示すものであり、映像音声受信装置１３０の種類がテレビ／プロジェクター／ＡＶアンプ／その他のそれぞれに応じた出力方式を有している。
【００２３】
図３は、ＥＤＩＤ読出判別部１１１及び機種判別部１１４により映像音声受信装置１３０の種類が判別される処理の流れ図である。
【００２４】
図４は、ＥＤＩＤ情報のＥｘｔｅｎｓｉｏｎブロック構成を示す図である。同図において、ビデオタグ（Video tag）には映像音声受信装置１３０が表示可能な映像解像度（４８０ｉ／７２０ｐ／１０８０ｉ等）やカラースペース情報（ＹＣｂＣｒ４：４：４／ＲＧＢ等）が、オーディオタグ（Audio tag）には再生可能な音声フォーマット（Ｉ２Ｓ等）や音声周波数（４８ｋＨｚ／１９２ｋＨｚ等）に関する情報が、スピーカータグ（Speaker tag）には再生可能な音声チャネル数に関する情報が、ベンダータグ（Vendor tag）にはベンダー情報がそれぞれ書き込まれている。
【００２５】
映像音声送信装置１００及び映像音声受信装置１３０がＨＤＭＩケーブル１８０にて接続され両装置１００，１３０の電源がオンになると、ホットプラグ出力部１５２はホットプラグ信号をＬｏｗからＨｉｇｈにする。ホットプラグ検出部１１２は、ホットプラグ信号がＬｏｗからＨｉｇｈに変化したことを検出すると、映像音声送信装置１００と映像音声受信装置１３０とが物理的に接続され、かつＥＤＩＤ情報が読み出し可能状態であると判断し、ＥＤＩＤ読出判別部１１１に対して記憶素子１４０からＥＤＩＤ情報を読み出すよう指示を出す。
【００２６】
ＥＤＩＤ読出判別部１１１と機種判別部１１４とがどのようにして映像音声受信装置１３０の種類を判別するかを、図３を用いて説明する。
【００２７】
ＥＤＩＤ読出判別部１１１は記憶素子１４０からＥＤＩＤ情報を読み出した後、ステップ１にて、そのＥＤＩＤ情報の構成がＥｘｔｅｎｓｉｏｎブロックを含んでいるかどうかを判別する。Ｅｘｔｅｎｓｉｏｎブロックを含んでいれば映像音声受信装置１３０はＨＤＭＩ装置と判別しステップ２へ進む。もし含んでいなければ映像音声受信装置１３０はＤＶＩ装置と判別しステップ４−５へ進む。
【００２８】
ステップ２では、Ｅｘｔｅｎｓｉｏｎブロックを構成しているオーディオタグ及びスピーカータグに属する音声情報を読み出す。
【００２９】
ステップ３では、ステップ２で読み出した情報から、映像音声受信装置１３０の種類が何かを判別する。音声チャネル数が２つで音声周波数が４８ｋＨｚ対応であればテレビと判断しステップ４−１へ進む。音声入力が不可（不要）であればプロジェクターと判断しステップ４−２へ進む。音声チャネル数が最大８つまでで音声周波数が最大１９２ｋＨｚまでに対応しているならＡＶアンプと判別しステップ４−３へ進む。いずれにも該当しない場合は種類不明としてステップ４−４へ進む。
【００３０】
ステップ４−ｉ（ｉ＝１〜５）では、ステップ３で判別された映像音声受信装置１３０の種類をＴＭＤＳ切替部１１５に伝えるための情報設定を行なう。
【００３１】
ステップ５では、ステップ４−ｉ（ｉ＝１〜５）で設定された情報をＴＭＤＳ切替部１１５へ伝える。
【００３２】
ＴＭＤＳ切替部１１５は機種判別部１１４から送られてきた情報より、映像音声受信装置１３０に適しているＴＭＤＳ信号出力方式及びＩｎｆｏＦｒａｍｅパケット出力タイミングを選択する。例えば“テレビ”という情報であれば図２（ａ）における方式Ａ、“プロジェクター”という情報であれば図２（ｂ）における方式Ｂ、“ＡＶアンプ”という情報であれば図２（ｃ）における方式Ｃ、“不明”或いは“ＤＶＩ装置”という情報であれば図２（ｄ）における方式Ｄを選択する。方式選択後、ＴＭＤＳ出力部１１３に選択した方式でＴＭＤＳ信号出力及びＩｎｆｏＦｒａｍｅパケット出力を行なうよう指示を出す。
【００３３】
ＴＭＤＳ出力部１１３は、ＴＭＤＳ切替部１１５からの指示に従い、図２（ａ）〜図２（ｄ）の各方式に示すようＴＡ１（或いはＴＢ１／ＴＣ１／ＴＤ１）期間出力、次いでＴＡ２（或いはＴＢ２／ＴＣ２／ＴＤ２）期間停止、次いで継続出力という手順でＴＭＤＳ信号を出力する。継続出力を開始してからＴＡ３（或いはＴＢ３／ＴＣ３／ＴＤ３）経過後“Ｐ１”のタイミングでＩｎｆｏＦｒａｍｅパケットを出力、“Ｐ２”のタイミングで認証処理を開始、認証処理を終えた“Ｐ３”のタイミングで映像音声情報の出力を開始する。
【００３４】
出力される映像音声情報は、チューナー１２２によって受信されたもの或いは映像音声録画再生部１２３から再生されたもののどちらかである。入力部１２１によってどちらの映像音声情報を使用するか、出力する映像の解像度や音声形式等が選択され、映像音声処理部１２０によって所望の映像解像度と音声形式に処理されＴＭＤＳ出力部１１３へ送られる。
【００３５】
映像音声受信装置１３０は、受信した映像音声情報を映像音声処理部１６０にて視聴可能な映像音声に処理し映像音声出力部１７０へ出力する。映像音声出力部１７０の後段は映像音声受信装置１３０がテレビであるか、プロジェクターであるか、ＡＶアンプであるかで異なり、ここでは説明を省略する。
【００３６】
映像音声受信装置１３０の新規設計或いは小変更等により、図２（ａ）〜図２（ｄ）に示すＴＭＤＳ信号出力方式及びＩｎｆｏＦｒａｍｅパケット出力タイミングでは、認証処理が失敗する、映像が出力されない／乱れる、音声が出力されない／不快音が発生する等の不具合現象を引き起こすことがある。この場合ＴＡ１／ＴＢ１／ＴＣ１／ＴＤ１、或いはＴＡ２／ＴＢ２／ＴＣ２／ＴＤ２、或いはＴＡ３／ＴＢ３／ＴＣ３／ＴＤ３の各時間を調整することで改善できる場合がある。各時間の調整は映像音声受信装置１３０の種類に対応した方式のみを調整すればよく、他の方式に対しては調整不要である。
【００３７】
例えば新規設計されたテレビが映像音声送信装置１００に接続された場合、方式ＡのＴＭＤＳ信号出力方式及びＩｎｆｏＦｒａｍｅパケット出力タイミングが選択されるが、テレビ側の処理内容／処理時間変更等が原因で、双方の処理タイミングのずれが発生し映像や音声が出力されなかったとする。調整の結果、ＴＡ３の時間を現状よりΔＴ長くしＩｎｆｏＦｒａｍｅパケット出力タイミングを遅らせることで改善できたとする（図示しないが以下、方式Ａ’と称す）。この方式Ａ’は新規設計された当該テレビに対しては有効であるが、従来問題のなかったテレビに対して有効であるかどうかはこの時点では解らない。そこで方式Ａ’を用いて従来のテレビに対して接続性の検証を行ない、問題がなければ方式Ａ’を正式採用し方式Ａとする。もし問題が発生した場合は、更に時間調整を行なう等の対策を講じ従来問題の無かったテレビ及び新規設計された当該テレビのどちらにも適した方式を見つけ出す。この時間調整はテレビに対してのみの調整なので、プロジェクター用の方式Ｂ、ＡＶアンプ用の方式Ｃ、その他／ＤＶＩ装置用の方式Ｄには影響が無い。また、接続性の再検証もテレビに対してのみ行なえばよく、調整を行なっていない他の種類に対しては再検証不要である。
【００３８】
以上のように図１の構成によれば、接続される映像音声受信装置の種類に応じたＴＭＤＳ信号出力方式及びＩｎｆｏＦｒａｍｅパケット出力タイミングを複数有しておき、接続された映像音声受信装置の種類に応じた方式に切り替えて出力することで、従来の単一出力方式に比べ送信側と受信側双方の処理タイミングのずれを小さくでき、認証の失敗、映像や音声が出ない／乱れるという現象を減らすことができる。
【００３９】
更に、映像音声受信装置の種類に応じた方式にのみ、ＴＭＤＳ信号出力方式及びＩｎｆｏＦｒａｍｅパケット出力タイミングの設定及び調整を行なうことができるので、他の方式（他の種類）に対して影響を与えることがない。
【００４０】
更に、接続再検証は設定及び調整した方式のみ行なえばよいので、従来よりも大幅に検証時間を削減でき、開発コストの削減にもつながる。
【００４１】
なお、ＴＭＤＳ切替部１１５が選択を行なうＴＭＤＳ信号出力方式及びＩｎｆｏＦｒａｍｅパケット出力タイミングは、図２（ａ）〜図２（ｄ）の限りではない。
【００４２】
また、機種判別部１１４で行なわれる映像音声受信装置の種類判断方法は、図３の限りではない。
【００４３】
図５は、ＴＭＤＳ切替部１１５に関する構成図を示すものである。図５において、５０１〜５０４はＴＭＤＳ信号出力方式及びＩｎｆｏＦｒａｍｅパケット出力タイミングの情報を格納する方式記憶器１〜４、５０５及び５０６は方式記憶器１〜４と同機能を持つ予備の方式記憶器５，６であり、５１０は使用する方式記憶器１〜６を選択する方式選択器である。
【００４４】
ＴＭＤＳ切替部１１５は、機種判別部１１４から映像音声受信装置１３０の種類に関する情報が送られてくると、映像音声受信装置１３０に適しているＴＭＤＳ信号出力方式及びＩｎｆｏＦｒａｍｅパケット出力タイミングを選択する。例えば“テレビ”という情報であれば図２（ａ）における方式Ａが格納されている方式記憶器１を選択し、“プロジェクター”という情報であれば図２（ｂ）における方式Ｂが格納されている方式記憶器２を選択し、“ＡＶアンプ”という情報であれば図２（ｃ）における方式Ｃが格納されている方式記憶器３を選択し、“不明”或いは“ＤＶＩ装置”という情報であれば図２（ｄ）における方式Ｄが格納されている方式記憶器４を選択する。方式選択後、ＴＭＤＳ出力部１１３に対し、選択した出力方式でＴＭＤＳ信号出力及びＩｎｆｏＦｒａｍｅパケット出力を行なうよう指示を出す。
【００４５】
予備として準備している方式記憶器５，６には、方式記憶器１〜４に記憶されているテレビ／プロジェクター／ＡＶアンプ／その他（ＤＶＩ装置含む）以外の種類に適した出力方式を格納する。或いは、方式記憶器１〜４に記憶されている出力方式では対応できない特異なテレビ／プロジェクター／ＡＶアンプ／その他（ＤＶＩ装置含む）用の出力方式を格納してもよい。
【００４６】
例えば、Ｘ社製、Ｙ社製、Ｚ社製のテレビがあるものとする。Ｘ社とＹ社は方式記憶器１に格納されている方式Ａで対応できるが、Ｚ社製のテレビには全く対応できない場合などでは、Ｚ社製のテレビ専用のＴＭＤＳ信号出力方式及びＩｎｆｏＦｒａｍｅパケット出力タイミング情報を方式記憶器５に格納しておく。併せて機種判別部１１４にて映像音声受信装置１３０の種類がＺ社製テレビであるかどうかの判別処理も追加しておく。
【００４７】
“テレビ”という種類用の方式Ａに対して時間調整を行なうのではなく、Ｚ社製テレビ専用のＴＭＤＳ信号出力方式及びＩｎｆｏＦｒａｍｅパケット出力タイミング情報を別途追加するので、従来問題の無いテレビに対して再検証は不要になる。
【００４８】
以上のように、ＴＭＤＳ信号出力方式及びＩｎｆｏＦｒａｍｅパケット出力タイミングを格納する予備の方式記憶器を追加しておくことで、特異な装置・種類等に対しても柔軟に対応でき、映像音声送信装置の接続性品質を向上させることができる。
【００４９】
更に、接続再検証は追加した方式のみ行なえばよいので、接続検証時間が大幅に増えることもなく、開発コスト削減につながる。
【００５０】
なお、方式記憶器の数は図５の限りではなく、映像音声送信装置の仕様に合わせて適宜準備すればよい。
【００５１】
さて、図１中に一点鎖線で示すとおり、ＴＭＤＳ切替部１１５に格納されている各出力方式は、書換部１２４によって書き換えが可能である。入力部１２１により、どのような方法で書き換えを行なうか、ＴＭＤＳ切替部１１５に具備されている方式記憶器１〜６のいずれを書き換えるか等を入力する。書換部１２４としては、通信網１９０から更新情報を入手して書き換える方法と、更新情報が書き込まれたＣＤ／ＤＶＤメディアを使って書き換える方法とが準備されている。
【００５２】
ネットワークを使用する場合、予め映像音声送信装置１００と通信網１９０とが接続されている必要がある。入力部１２１は書換部１２４に対して指定のウェブサイトにアクセスし、最新のＴＭＤＳ信号出力方式及びＩｎｆｏＦｒａｍｅパケット出力タイミングの情報をダウンロードし、それを指定された方式記憶器ｉ（ｉ＝１〜６）に書き込むよう指示を出し、書換部１２４はそれに従う。
【００５３】
ＣＤ／ＤＶＤメディアを使用する場合、入力部１２１は映像音声録画再生部１２３に対しＣＤ／ＤＶＤメディアに書き込まれている更新情報を読み、その情報を書換部１２４に伝送することを、書換部１２４に対しては映像音声録画再生部１２３からの更新情報を指定された方式記憶器ｉ（ｉ＝１〜６）に書き込むよう指示を出し、書換部１２４はそれに従う。
【００５４】
以上のように図１の構成によれば、ＴＭＤＳ信号出力方式及びＩｎｆｏＦｒａｍｅパケット出力タイミングを様々な手段で簡単に書き換えられるので、装置のメンテナンス性が向上する。
【００５５】
なお、映像音声送信装置１００がＳＤカード等の小型記憶媒体の読み書きに対応している場合、ＣＤ／ＤＶＤメディアの場合と同様に、小型記憶媒体の情報を用いて書換部１２４を動作させて書き換えを行なうことができる。
【００５６】
更に、映像音声送信装置１００に付属しているリモコン等を使ってＴＭＤＳ信号出力方式及びＩｎｆｏＦｒａｍｅパケット出力タイミングを調整する方法もあり、書換部１２４は上記の限りではない。
【産業上の利用可能性】
【００５７】
以上説明してきたとおり、本発明の映像音声送信装置は、一般家庭におけるＤＶＤプレーヤー／ＤＶＤレコーダー／ハードディスク録画再生機／ＡＶアンプ等の、映像音声機器にとって有用である。
【図面の簡単な説明】
【００５８】
【図１】本発明に係る映像音声送信装置の構成例を映像音声受信装置とともに示すブロック図である。
【図２】（ａ）〜（ｄ）は図１の映像音声送信装置における種々のＴＭＤＳ信号出力方式及びＩｎｆｏＦｒａｍｅパケット出力タイミングを示す図である。
【図３】図１の映像音声送信装置における受信装置の機種判別動作を示すフローチャート図である。
【図４】図１中の記憶素子が保持するＥＤＩＤ情報中のＥｘｔｅｎｓｉｏｎブロックの詳細図である。
【図５】図１中のＴＭＤＳ切替部の詳細構成例を示すブロック図である。
【図６】従来の映像音声送信装置を映像音声受信装置とともに示すブロック図である。
【図７】図６の映像音声送信装置におけるＴＭＤＳ信号出力方式及びＩｎｆｏＦｒａｍｅパケット出力タイミングを示す図である。
【符号の説明】
【００５９】
１００  映像音声送信装置
１１０  ＨＤＭＩ処理部
１１１  ＥＤＩＤ読出判別部
１１２  ホットプラグ検出部
１１３  ＴＭＤＳ出力部
１１４  機種判別部
１１５  ＴＭＤＳ切替部
１２０  映像音声処理部
１２１  入力部
１２２  チューナー
１２３  映像音声録画再生部
１２４  書換部
１３０  映像音声受信装置
１４０  記憶素子（メモリ）
１５０  ＨＤＭＩ処理部
１５１  ＴＭＤＳ入力部
１５２  ホットプラグ出力部
１６０  映像音声処理部
１７０  映像音声出力部
１８０  ＨＤＭＩケーブル
１９０  通信網
【図１】
2009071587.tif 000003
【図２】
2009071587.tif 000004
【図３】
2009071587.tif 000005
【図４】
2009071587.tif 000006
【図５】
2009071587.tif 000007
【図６】
2009071587.tif 000008
【図７】
2009071587.tif 000009